(57)【要約】【課題】  携帯電話機を変更した場合において、ユーザがデータ移行をする必要がなく、また、新機種に慣れるための時間も必要としない携帯端末システムを提供する。【解決手段】  携帯電話機１は、操作されたキーを示すキーデータを基地局７、ネットワーク８、振分サーバ２を介してＡＰサーバ３へ送信し、ＡＰサーバ３は、携帯電話機１から受けたキーデータに対応する表示データを携帯電話機１へ送信する。また、携帯電話機１は、アドレス帳の登録、変更、読出を指示するデータをＤＢサーバ５へ送信し、ＤＢサーバ５は携帯電話機からの指示を受けて、内部のアドレス帳の登録、変更、読出を行うと共に、読み出したデータを振分サーバ２を介して携帯電話機１へ送信する。【選択図】    図１
2006279124.tif 000002
【特許請求の範囲】
【請求項１】
携帯端末と、サーバと、両者を接続する通信回線とからなり、
前記携帯端末は、操作されたキーを示すキーデータを前記通信回線を介して前記サーバへ送信し、
前記サーバは、前記携帯端末から受けたキーデータに対応する表示データを前記通信回線を介して前記携帯端末へ送信する
ことを特徴とする携帯端末システム。
【請求項２】
携帯端末と、サーバと、両者を接続する通信回線とからなり、
前記携帯端末は、アドレス帳の登録、変更、読出を指示するデータを前記サーバへ送信し、
前記サーバはアドレス帳を具備し、前記携帯端末からの指示を受けて、前記アドレス帳の登録、変更、読出を行うと共に、読み出したデータを前記通信回線を介して前記携帯端末へ送信する
ことを特徴とする携帯端末システム。
【請求項３】
携帯端末と、サーバと、両者を接続する通信回線とからなり、
前記携帯端末は、特定の処理の実行を指示するデータを前記通信回線を介して前記サーバへ送信し、
前記サーバは、内部に前記特定の処理のソフトウエアを具備し、前記携帯端末からの指示を受けて前記ソフトウエアを実行し、実行結果を前記携帯端末へ送信する
ことを特徴とする携帯端末システム。
【請求項４】
前記特定の処理は、所定のデータフォーマットによる音声データをＰＣＭ音声データに変換する処理であることを特徴とする請求項３に記載の携帯端末システム。
【請求項５】
前記特定の処理は、前記携帯端末から送信された位置データを補正して精度を上げる処理であることを特徴とする請求項３に記載の携帯端末システム。
【発明の詳細な説明】
【技術分野】
【０００１】
本発明は、サーバを利用して携帯電話機等の携帯端末の利便性の向上を図った携帯端末システムに関する。
【背景技術】
【０００２】
従来、携帯電話機は、通信会社の製作シリーズ毎に統一感があるが、細部をみると、製造メーカ毎に使用している音源チップ、アプリケーション、操作キー割り当てなどが異なっており、このため、機種変更時にデータ移行に手間取ったり、操作に慣れるのに時間がかかるという問題があった。これは、通信会社が異なる機種に変更した場合はさらに時間がかかり面倒であった。
【０００３】
また、複数の携帯電話機を所有し、電話帳などを共有したい場合は、複数の携帯電話機に同じデータを入力する必要があるが、この場合、従来は携帯電話機のデータ管理用ソフトをセットしたパソコンが必要になるという問題があった。
なお、従来のこの種の問題に関する文献として特許文献１〜４が知られている。
【特許文献１】特開2004-15252号公報
【特許文献２】特開2004-153420号公報
【特許文献３】特開2003-242009号公報
【特許文献４】特開2003-46664号公報
【発明の開示】
【発明が解決しようとする課題】
【０００４】
本発明は上記事情を考慮してなされたもので、その目的は、携帯端末を変更した場合において、ユーザがデータ移行をする必要がなく、また、新機種に慣れるための時間も必要としない携帯端末システムを提供することにある。
【課題を解決するための手段】
【０００５】
この発明は上述した課題を解決するためになされたもので、請求項１に記載の発明は、携帯端末と、サーバと、両者を接続する通信回線とからなり、前記携帯端末は、操作されたキーを示すキーデータを前記通信回線を介して前記サーバへ送信し、前記サーバは、前記携帯端末から受けたキーデータに対応する表示データを前記通信回線を介して前記携帯端末へ送信することを特徴とする携帯端末システムである。
【０００６】
請求項２に記載の発明は、携帯端末と、サーバと、両者を接続する通信回線とからなり、前記携帯端末は、アドレス帳の登録、変更、読出を指示するデータを前記サーバへ送信し、前記サーバはアドレス帳を具備し、前記携帯端末からの指示を受けて、前記アドレス帳の登録、変更、読出を行うと共に、読み出したデータを前記通信回線を介して前記携帯端末へ送信することを特徴とする携帯端末システムである。
請求項３に記載の発明は、携帯端末と、サーバと、両者を接続する通信回線とからなり、前記携帯端末は、特定の処理の実行を指示するデータを前記通信回線を介して前記サーバへ送信し、前記サーバは、内部に前記特定の処理のソフトウエアを具備し、前記携帯端末からの指示を受けて前記ソフトウエアを実行し、実行結果を前記携帯端末へ送信することを特徴とする携帯端末システムである。
【０００７】
請求項４に記載の発明は、請求項３に記載の携帯端末システムにおいて、前記特定の処理は、所定のデータフォーマットによる音声データをＰＣＭ音声データに変換する処理であることを特徴とする。
請求項５に記載の発明は、請求項３に記載の携帯端末システムにおいて、前記特定の処理は、前記携帯端末から送信された位置データを補正して精度を上げる処理であることを特徴とする。
【発明の効果】
【０００８】
請求項１の発明によれば、携帯端末が、操作されたキーを示すキーデータをサーバへ送信し、サーバが携帯端末から受けたキーデータに対応する表示データを携帯端末へ送信するので、携帯端末の機種を変更した場合においてキー操作とそれに伴う画像表示の関係が変更されず、この結果、使い勝手が変わらない利点が得られる。
また、請求項２の発明によれば、携帯端末は、アドレス帳の登録、変更、読出を指示するデータをサーバへ送信し、サーバはアドレス帳を具備し、携帯端末からの指示を受けて、アドレス帳の登録、変更、読出を行うと共に、読み出したデータを携帯端末へ送信するので、携帯端末の機種を変更した場合において、ユーザがアドレス帳のデータ移行をする必要がない利点が得られる。
【０００９】
また、請求項３の発明によれば、携帯端末は、特定の処理の実行を指示するデータをサーバへ送信し、サーバは、内部に特定の処理のソフトウエアを具備し、携帯端末からの指示を受けてソフトウエアを実行し、実行結果を携帯端末へ送信するので、携帯端末の機種を変更した場合において、ユーザが新機種に慣れるための時間も必要としない利点がある。
【発明を実施するための最良の形態】
【００１０】
以下、図面を参照し、この発明の実施の形態について説明する。図１はこの発明の一実施の形態による携帯電話システム（携帯端末システム）の構成を示すブロック図である。この携帯電話システムは、ユーザが所有する携帯電話機１と、通信会社が管理する振分サーバ２、ＡＰ（アプリケーション）サーバ３、４、ＤＢ（データベース）サーバ５とから構成され、携帯電話機１が基地局７、インターネット等のネットワーク８を介して振分サーバ２に接続される。
【００１１】
図２は携帯電話機１の構成を示すブロック図である。この携帯電話機１は音声通信およびインターネットを介したデータ通信の機能を有すると共に、ＧＰＳ（Global Positioning System）による現在位置検出機能、ＣＣＤカメラによる撮像機能を有している。
図２において、１１は各部を制御するＣＰＵ（中央処理装置）、１２はＣＰＵ１１のプログラムが記憶されたＲＯＭ（リードオンリメモリ）、１３はＣＰＵ１１の処理においてデータが一時記憶されるＲＡＭ（ランダムアクセスメモリ）である。１４はテンキーおよびファンクションキーからなる操作部、１５は液晶表示器による表示部である。１６は通信部であり、アンテナ１６ａを介して基地局７から受信した高周波信号を復調し、復調によって得られた音声データについては音声処理部１７へ出力し、文字データ、記号データ等についてはバスラインＢを介してＣＰＵ１１へ出力する。また、この通信部１６は、ＣＰＵ１１から供給される相手先電話番号等のデータおよび音声処理部１７から出力される音声データによって高周波の搬送波を変調しアンテナ１６ａから発信する。
【００１２】
音声処理部１７は、マイクロフォン１８から出力される音声信号をディジタル音声データに変換し、さらに圧縮して通信部１６へ出力する。また、通信部１６から出力される圧縮されたディジタル音声データを伸長し、アナログ信号に変換してイヤスピーカ１９へ出力する。２０は着信音発生部であり、ＣＰＵ１１からの指示を受け、内部に記憶されている楽音データに基づいて着信音信号を発生し、スピーカ２１へ出力する。２２はＧＰＳ処理部であり、ＧＰＳ衛星からの電波をアンテナ２２ａによって受信し、受信した電波に基づいて携帯電話機１の現在位置を算出し、算出した位置を示す位置データをバスラインＢへ出力する。２３は撮像部であり、レンズ、ＣＣＤ、データ処理回路を有し、ＣＣＤによって撮像した画像信号をディジタル画像データに変換し、バスラインＢへ出力する。
【００１３】
次に、上述した携帯電話システムの動作を説明する。なお、携帯電話機の音声通話の動作は従来の携帯電話機と同様であるので説明を省略する。
（１）キー操作
ユーザが操作部１４のテンキーまたはファンクションキーを操作すると、操作部１４から、操作されたキーを示すキーデータがバスラインＢを介してＣＰＵ１１へ出力される。ＣＰＵ１１はそのキーデータを、通信部１６を介して振分サーバ２へ送信する。振分サーバ２は、そのキーデータをＡＰサーバ３へ送る。ＡＰサーバ３はキーデータを受け、そのキーデータから、携帯電話機１において操作されたキーを検知し、該キー操作に対応する表示データを生成し、振分サーバ２を介して携帯電話機１へ送信する。その表示データは携帯電話機１の通信部１６によって受信され、通信部１６からバスラインＢを介してＣＰＵ１１へ出力される。ＣＰＵ１１はその表示データを表示部１５へ出力し、表示部１５はその表示データに基づいて液晶画面の表示を行う。
このように、操作部１４のキー操作に基づく画面表示は、ＡＰサーバ３内の表示ソフトウエアに基づいて行われる。
【００１４】
（２）アドレス帳の登録、変更、呼出
ユーザが操作部１４からアドレス帳の登録を指示するキー操作を行うと、上述した手順を経て表示部１５にアドレス登録用画面が表示される。ユーザがその画面において、登録すべきアドレスを入力し、登録を指示するキー操作を行うと、ユーザによって入力されたアドレスが振分サーバ２へ送信される。振分サーバ２はそれらのデータをＤＢサーバ５へ出力し、ＤＢサーバ５はそのアドレスを内部の記憶部に登録する。
ユーザが操作部１４からアドレス帳の変更を指示するキー操作を行うと、上記と同様にして表示部１５に変更前アドレスおよび変更後アドレスを入力する画面が表示される。ユーザがその画面において、変更前アドレスおよび変更後アドレスを入力し、登録を指示するキー操作を行うと、変更前アドレス、変更後アドレスおよび登録指示が振分サーバ２へ送信される。振分サーバ２はそれらのデータをＤＢサーバ５へ出力する。ＤＢサーバ５は変更前アドレスおよび変更後アドレスに基づいて内部の記憶部に記憶されているアドレス帳の書き換えを行う。
【００１５】
ユーザが操作部１４においてアドレス帳読み出しを指示するキー操作を行うと、操作されたキーを示すキーデータが振分サーバ２へ送信される。振分サーバ２はそのキーデータをＤＢサーバ５へ送る。ＤＢサーバ５はそのキーデータを受け、内部の記憶部からアドレス帳を読み出し、携帯電話機１へ送信する。送信されたアドレス帳は携帯電話機１表示部１５に表示される。
【００１６】
（３）着信メロディ変更
ユーザが操作部１４から着信メロディの変更を指示するキー操作を行うと、キーデータが振分サーバ２を介してＤＢサーバ５へ出力される。ＤＢサーバ５は内部の記憶部に記憶されている着信メロディの名称を読み出し、振分サーバ２を介して携帯電話機１へ出力する。その名称は携帯電話機１の表示部１５に表示される。ユーザがその表示を見て、いずれか１つの着信メロディを選択するキー操作を行うと、選択された着信メロディの名称がＤＢサーバ５へ送信される。ＤＢサーバ５はその名称の着信メロディの楽音データを内部の記憶部から読み出し、携帯電話機１へ送信する。携帯電話機１へ送信された楽音データは通信部１６を介してＣＰＵ１１へ出力され、ＣＰＵ１１がその楽音データを着信音発生部２０へ出力する。着信音発生部２０はその楽音データを内部のメモリに記憶させる。以後、着信音発生部２０はその楽音データに基づいて着信音を生成する。
【００１７】
（４）ＳＭＡＦファイルの変換
携帯電話機において用いられるマルチメディアデータ形式としてＳＭＡＦ（Synthetic music Mobile Application Format）（登録商標）が知られているが、このＳＭＡＦ（登録商標）によるファイルを音声信号に変換する場合、ユーザはファイルを振分サーバ２へ送信する。振分サーバ２はそのファイルをＡＰサーバ４へ送る。ＡＰサーバ４は、内部のデコードソフトを使用してＳＭＡＦファイルをＰＣＭ音声データに変換し、携帯電話機１へ送信する。また、ＳＭＡＦファイルがＤＢサーバ５内に用意された個人毎もしくは端末毎に割り当てられた領域にある時もある。この場合、ＤＢサーバ５内のファイルがＡＰサーバ４へ送られて処理される。携帯電話機１の通信部１６はＡＰサーバ４からの音声データを受信し、ＣＰＵ１１へ出力する。ＣＰＵ１１はその音声データを着信音発生部２０へ出力する。着信音発生部２０はその音声データをアナログ信号に変換しスピーカ２１へ出力する。これにより、ＳＭＡＦファイルに基づく音声がスピーカ２１から発生する。
【００１８】
（５）ＧＰＳ処理
ユーザが現在位置データを必要とする場合、操作部１４において所定のキー操作を行う。このキー操作が行われると、ＣＰＵ１１がそれを検知し、ＧＰＳ処理部２２へ位置データ要求を出力する。ＧＰＳ処理部１１は、ＧＰＳ衛星からの電波に基づいて現在位置を算出し、位置データをＣＰＵ１１へ出力する。ＣＰＵ１１はその位置データを振分サーバ２へ出力し、振分サーバ２はその位置データをＡＰサーバ４へ出力する。ＡＰサーバ４は、その位置データにＤ−ＧＰＳ(Differential GPS)による補正を行って精度を上げ、補正後のデータを地図データと共に携帯電話機１へ送信する。送信されたデータは携帯電話機１の表示部１５に表示される。
【００１９】
以上のように、上記実施形態においては、従来、携帯電話機において行われていた種々の処理がＡＰサーバ４、５によって行なわれ、また、携帯電話機の記憶部に保持されていたアドレス帳や着信メロディの楽音データがＤＢサーバ５の記憶部に記憶される。これにより、携帯電話機１の機種が変更になった場合においても、操作方法や操作手順が変わることがなく、また、アドレス帳のデータ移行等の処理も必要ない。また、複数の携帯電話機を所有したり、他人の携帯電話機を借りたりする場合において、同じ使い勝手とすることができる。また、携帯電話機は必要最低限の機能しか持たないので、価格を安くすることができる。また、携帯電話機の機能アップを、サーバの更新だけで行うことができ、さらに、ユーザが好みのＧＵＩ等の機能を選択することも可能となる。
【００２０】
なお、上記実施形態においては詳しい説明を省略しているが、図１のシステムにおいては、ＡＰサーバ４または５において、携帯電話機１の撮像部２３から出力される画像データに効果をかける処理や、ｉアプリ（登録商標）、ＪＡＶＡ（登録商標）等を処理して表示画面、出力音声を作る処理も行われ、また、ＤＢサーバ５において、送受信メール、撮像部２３から出力される画像データの保存等も行われる。
【００２１】
また、上記実施形態においては、機能別にサーバを分けているが、１つのサーバ上に全部の機能を搭載してもよい。また、携帯電話機１の製造メーカ別にサーバを分けてもよい。この場合、どのサーバを使用するかをユーザが選択できるようにする。また、サーバを機能毎に複数設け、ＧＵＩ(Graphical User Interface)、キー応答、カメラ画像処理、音声処理等の機能毎に、ユーザが好みのサーバを選択するようにしてもよい。また、サーバは通信会社にあるものに限らず、有線／無線で繋がれていれば、自宅等に置かれた個人用のサーバでもよい。
また、上記実施形態は、携帯電話機のシステムであるが、この発明はＰＨＳ等の他の種の携帯端末にも適用可能である。
【産業上の利用可能性】
【００２２】
この発明は、携帯電話機等の携帯端末を使用した通信システムにおいて用いられる。
【図面の簡単な説明】
【００２３】
【図１】この発明の一実施形態による携帯端末システムの構成を示すブロック図である。
【図２】図１における携帯電話機１の構成を示すブロック図である。
【符号の説明】
【００２４】
１…携帯電話機、２…振分サーバ、３、４…ＡＰサーバ、５…ＤＢサーバ、１１…ＣＰＵ、１２…ＲＯＭ、１３…ＲＡＭ、１４…操作部、１５…表示部、１６…通信部、１７…音声処理部、２０…着信音発生部、２２…ＧＰＳ処理部、２３…撮像部。
【図１】
2006279124.tif 000003
【図２】
2006279124.tif 000004